(57)【要約】【課題】塗工装置の排出ポンプから脈動を伴った気泡流の状態で吐出される塗工液に対して、小型軽量、かつ簡単な構成で気泡を分離、除去し、脈動を低減し、塗工液の流れのエネルギを減勢して穏やかに液体容器に流し入れる減勢器を提供する。【解決手段】略側面に流入孔２２５を有する減勢器２４の内部に、流入孔２２５から上側の空間を広く確保して流入孔２２５よりも広い通流面積を有し、円筒状にした空間２４１，２４３を流入孔２２５側と流出孔２４２側に設け、両空間２４１，２４３を連通する案内路２４６を曲壁状に設け、上部を密閉蓋２４５で塞ぎ、下部を貫通して密閉蓋２４５近くまで伸びる排気筒２４４を装備することによって、急拡損失、曲り損失及び渦損失により流速を減じ、管内脈動流から自由表面を伴って流れる低脈動流に変えるようにし、さらに、流出孔２４２から下に管体２２６を伸ばした。【選択図】図３
0003222091.tif 000002
【実用新案登録請求の範囲】
【請求項１】
塗工装置から塗工液を排出させて液体容器に戻す塗工液排出流路に設置される減勢器であって、
塗工液排出流路を圧送されてくる塗工液の流入孔と、
下流側が開放された略円筒状の曲壁を有し、上流側にて円筒中心から偏心した位置に前記流入孔が形成され、上部及び下部が閉塞される受容室と、
受容室の下流側にて受容室と連通し、流れ方向を変更する曲壁を有し、上部及び下部が閉塞される少なくとも一つ以上の曲り流路室と、
曲り流路室の下流側にて曲り流路室と連通し、略円筒状の曲壁を有し、上部が閉塞される環流室と、
還流室の下部に形成される塗工液の流出孔と、
流出孔から下方に伸びる管体とを備え、
受容室から還流室に至る流路の断面積は、流入孔の断面積よりも大きい
減勢器。
【請求項２】
下降斜面を有し、管体の下方に配置される液案内部材をさらに備える
請求項１に記載の減勢器。
【請求項３】
流入孔の中心から前記上部までの高さは、流入孔の中心から前記下部までの高さよりも大きく、
前記上部との間に隙間を有して前記下部を貫通する排気筒をさらに備える
請求項１又は請求項２に記載の減勢器。
【請求項４】
前記上部の接液側は、受容室から環流室まで延びる溝を備える
請求項１ないし請求項３のいずれか１項に記載の減勢器。
【請求項５】
流出孔の断面積は、流入孔の断面積よりも大きい
請求項１ないし請求項４のいずれか１項に記載の減勢器。
【請求項６】
曲り流路室における流路の断面積は、下流側に向かうにつれて大きくなる
請求項１ないし請求項５のいずれか１項に記載の減勢器。
【考案の詳細な説明】
【技術分野】
【０００１】
本考案は、印刷機、ニスコータ、グラビアロールコータ又はその他の塗工装置に用いられる塗工液循環装置の塗工液排出流路に設置される減勢器に関するものである。
【背景技術】
【０００２】
塗工液循環装置は、液体容器から塗工液チャンバに塗工液を供給する供給ポンプと、塗工液チャンバから塗工液を液体容器に排出する排出ポンプと、それぞれを連結する管路及びバルブ類とによって構成され、塗工液を循環する。主な塗工液には、印刷用インキ、ニス、接着剤、液状樹脂などがある。
【０００３】
塗工液は、塗工液チャンバ内に送給されて彫刻ローラを介して塗工処理に供せられるが、一方で塗工し終った分量に相当する量の空気を彫刻ローラ上のセルが取り込んで塗工液チャンバ内に戻ってくる。そのため、排出ポンプによって液体容器に排出される塗工液の中には、空気が気泡となって混入される。塗工液に気泡が混入すると、塗工の濃度や平滑性や光沢などの塗工品質が悪化するので、塗工液チャンバから液体容器までの間の塗工液排出流路内において、混入した気泡を分離、除去する必要がある。
【０００４】
塗工液循環装置には利便性の良さから往復動ポンプが用いられる。しかし、往復動ポンプは、往復運動により容積を変化させて吸引・吐出を繰り返すために、吐出量が脈動するという欠点を伴う。排出ポンプから圧送される塗工液に脈動があると、勢いよく液体容器の液面に向けて吹き出し、着液の際に液面にて跳ね上がったり、波立たせたりして新たな泡を発生させてしまう。液体容器内の液面に穏やかに流し入れるために、脈動を低減して流速を遅くする必要がある。脈動を減衰させる機器には、プラダ型又はダイヤフラム型の脈動減衰器や、ガスサージタンク方式の脈動減衰器があるが、これらの脈動減衰機器は、減衰効果を得るために、吐出側に所定の配管抵抗を伴う管路長さが必要で、小型化には向かないという欠点がある。
【０００５】
渦流による遠心力で気液分離を行う方法が特許文献２などで記載されている。ガスサージタンク方式の脈動減衰器を使用して脈動の減衰を計っている従来の塗工液循環装置では、脈動減衰器内の圧縮空気に気泡が取り込まれることで気泡の分離及び除去を同時に行っている。そのため、気泡による塗工品質への悪影響は排除できているものの、小型化はできなかった。
【先行技術文献】
【特許文献】
【０００６】
【特許文献１】特開昭５９−２３０６６５号公報
【特許文献２】特開２０００−１１７００２号公報
【特許文献３】特開２００８−１９６８４８号公報
【考案の概要】
【考案が解決しようとする課題】
【０００７】
空気と塗工液が共存する気液二相流は、塗工液チャンバから気泡流となって排出されてくる。本考案の目的は、排出ポンプから液体容器までの塗工液排出流路に取り付け可能であり、気泡流から混入している気泡を簡単に分離、除去し、かつ、塗工液の流れのエネルギを減勢して流速を減じさせることにより、液体容器内の液面に着液する際に、吹き出したり、跳ね上がったりして新たな泡を発生させることなく、塗工液を穏やかに液体容器に流し入れることができる減勢器を提供することにある。
【課題を解決するための手段】
【０００８】
本考案は、
塗工装置から塗工液を排出させて液体容器に戻す塗工液排出流路に設置される減勢器であって、
塗工液排出流路を圧送されてくる塗工液の流入孔と、
下流側が開放された略円筒状の曲壁を有し、上流側にて円筒中心から偏心した位置に前記流入孔が形成され、上部及び下部が閉塞される受容室と、
受容室の下流側にて受容室と連通し、流れ方向を変更する曲壁を有し、上部及び下部が閉塞される少なくとも一つ以上の曲り流路室と、
曲り流路室の下流側にて曲り流路室と連通し、略円筒状の曲壁を有し、上部が閉塞される環流室と、
還流室の下部に形成される塗工液の流出孔と、
流出孔から下方に伸びる管体とを備え、
受容室から還流室に至る流路の断面積は、流入孔の断面積よりも大きい
減勢器である。
【０００９】
ここで、本考案に係る減勢器は、一態様として、
下降斜面を有し、管体の下方に配置される液案内部材をさらに備える
構成を採用することができる。
【００１０】
また、本考案に係る減勢器は、他態様として、
流入孔の中心から前記上部までの高さは、流入孔の中心から前記下部までの高さよりも大きく、
前記上部との間に隙間を有して前記下部を貫通する排気筒をさらに備える
構成を採用することができる。
【００１１】
また、本考案に係る減勢器は、別の態様として、
前記上部の接液側は、受容室から環流室まで延びる溝を備える
構成を採用することができる。
【００１２】
また、本考案に係る減勢器は、さらに別の態様として、
流出孔の断面積は、流入孔の断面積よりも大きい
構成を採用することができる。
【００１３】
また、本考案に係る減勢器は、さらに別の態様として、
曲り流路室における流路の断面積は、下流側に向かうにつれて大きくなる
構成を採用することができる。
【００１４】
塗工装置から塗工液排出流路を圧送されてくる塗工液に対し、拡大損失、曲り損失及び渦損失を生じせしめ、脈動流のエネルギを散逸させ、流速を低減させるとともに、流れがホースや継手などの壁面で囲まれ拘束されたクローズドタイプの管路流れから、開水路のような自由表面を伴う流れに様相を変えられるよう十分に広い容積があって、外気との通気手段を設けたオープンタイプの流路に流し変えることにより、脈動の低減を図る。さらに、渦流による遠心力で気液分離を行い、通気手段を介して気泡を排気、除去する。これらの効果が図れるよう、受容室、曲り流路室及び還流室の三つの室（空間）と、管体を設け、さらには、選択的に、排気筒及び／又は液案内部材を設ける。
【００１５】
流入孔におけるホースや継手などの断面積よりも広い受容室を形成し、受容室は、略円筒状の曲壁で構成される。塗工液が受容室に流れ込むと、略円筒状の曲壁に沿って流れ方向が旋回し、渦を誘起させる。拡大損失及び渦損失により流速は減じられ、さらに、遠心力の作用によって混入した気泡が渦中心に集まり、分離させられる。受容室を経た流れは曲り流路室に連通する。単一又は多重の曲り流路室は、受容室から出た塗工液の流れ方向に対して傾斜する傾斜壁と、円弧壁とからなる曲壁で構成される。円弧壁によって流れ方向をさらに変向させ、曲り損失を与えて、塗工液をより一層減速させる。つぎに、曲り流路室を通った流れは還流室に入る。還流室は、その下部に、流入孔の断面積よりも大きい断面積を有する円形の流出孔を有しており、略円筒状の曲壁で構成される。還流室に入った塗工液は、流出孔の直前で流れを誘導的に環状の流線を有する環流に変えさせられることで、強制渦を生成し、流出孔から気柱を通して空気を吸い込む空気の渦ができやすい状態を作る。流出孔につながっている管体内の中心まで空気の渦が伸び、一方で、塗工液は、螺旋を描くように管体の内壁に沿って流下し、下降斜面を有する液案内部材に沿って液体容器内に穏やかに着液する。
【００１６】
受容室、曲り流路室及び還流室のいずれかの位置に排気筒を設け、その上端を器内の上部の近くまで伸ばし、下端を液体容器の上部まで繋がる構成にする。さらに、空気が移動できるための空間として、減勢器の流入孔の中心よりも上側の空間を広く設ける。そうすることで、排気筒により、分離された気泡が減勢器内の上部を伝わり、排気筒の上端から液体容器へ排気できる。さらに、排気筒は、減勢器内と通気できることから、ホース内から流入する脈動流をオープンタイプの流れに変えることに貢献し、広く確保した容積及びエネルギ損失と相まって脈動低減が成される。
【考案の効果】
【００１７】
本考案に係る減勢器は、流入孔の断面積よりも広く、各所を曲壁で連ねた内部空間に構成したことで、塗工液に拡大損失、曲り損失及び渦損失を与え、流れのエネルギを散逸させて、流速を遅くできる。また、渦現象を誘起させることにより、塗工液に混入している気泡を分離できる。
【００１８】
また、減勢器の流入孔の中心より上側に、広い空間を設け、かつ排気筒を設けた場合は、排気筒を利用して、渦現象によって分離された空気を除去できる。さらに、排気筒の通気と、減勢器内に広く確保した空間容積により、ホース内から流入する脈動流が自由表面を有するオープンタイプの流れに様相を変えることで、脈動を低減できる。流出孔に管体をつなげたことにより、管体内の中心に空気の渦を誘起でき、塗工液を螺旋を描くように管体の内壁に沿って流下させることができる。これにより、気泡と一緒に吹き出す現象は解消する。下降斜面を有する液案内部材を設ければ、管体の内壁に沿って流下してくる塗工液を液体容器内に穏やかに着液させることができる。
【００１９】
以上により、本考案に係る減勢器は、脈動を伴った気泡流として送られてくる塗工液に対して、気泡を除去し、流速を遅くし、脈動を低減して穏やかに液面に着液させることができ、液体容器内で気泡をさらに増長させてしまうという問題も発生させない。また、小型軽量に簡単に構成できることから、液体容器の上部に配置でき、塗工液循環装置の小型化に寄与する。
【図面の簡単な説明】
【００２０】
【図１】本考案の一実施形態に係る塗工液循環装置が用いられる代表的な塗工装置の斜視図である。
【図２】塗工の様子を模式的に示した説明図である。
【図３】同塗工液循環装置に設置される減勢器の平面図である。
【図４】同減勢器の断面図である。
【図５】同減勢器の斜視図である。
【図６】同減勢器を装備した小型塗工液循環装置の正面図である。
【図７】他の実施形態に係る減勢器の平面図である。
【図８】さらに他の実施形態に係る減勢器の断面図である。
【考案を実施するための形態】
【００２１】
以下、本考案の実施の形態を図面を参酌しつつ説明する。
【００２２】
図１に示すように、塗工装置１は、塗工液循環装置２内の供給ポンプ２１から塗工液チャンバ３に供給される塗工液５を、回転する彫刻ローラ４の表面上に保有させ、被処理材表面（図示せず）に転移する装置である。図２に示すように、彫刻ローラ４は、その表面に微細なセルを有しており、塗工液チャンバ３内に供給される塗工液５がセル内に入り、塗工液５で満たされたセルは、塗工液チャンバ３から送り出されていく。彫刻ローラ４が塗工液皮膜５１を転移すると、セル内には半減した塗工液５が残留した状態となる。転移後のセルが空気６とともに再び塗工液チャンバ３内に戻ってくると、空気６は塗工液チャンバ３内で気泡６１となって塗工液５中に放出され、塗工液５の流速と圧力の作用により塗工液５と置き換わり、戻ってきたセルは、塗工液チャンバ３内で再び塗工液５で満たされる。なお、図１及び図２に示すセルは、説明しやすくするために模式的にかなり大きく表現しているが、実際には２０〜１３０μｍ程度の大きさで、肉眼ではわからない微細な凹部である。塗工液チャンバ３内に気泡６１が滞留して成長しないようにするため、一般に塗工液循環装置２には排出ポンプ２２が装備され、塗工液チャンバ３から塗工液５を強制的に排出することで循環量を増やしている。気泡６１は塗工液の濃度や平滑性や光沢などの塗工品質を悪化させる。塗工液循環装置２では、供給ポンプ２１と排出ポンプ２２によって塗工液５の循環量を増やすことで、気泡６１を速やかにセルから排除して塗工品質の安定性を保っている。
【００２３】
図３は、減勢器２４の平面図であり、密閉蓋２４５を外した状態で示す。図４に断面図を示す。減勢器２４は、受容室２４１、曲り流路室２４６及び環流室２４３の３室で構成されている。しかし、曲り流路室２４６をさらに増やして構成することもできる。運用される塗工液の流量範囲と粘度に応じて、曲り流路室２４６の数と曲壁の延長距離を設定することになる。
【００２４】
減勢器２４の内部空間の流路全ては、流入孔２２５の断面積よりも大きい断面積を有するように形成している。受容室２４１は、下流側が開放されて略鉛直方向に伸びる円筒壁２４０からなる曲壁で構成される。受容室２４１は、塗工液を円筒壁２４０で受け入れると、円筒壁２４０に沿って流れ方向が略１８０°旋回し、渦１０を誘起させる。渦の遠心力の作用により、混入した気泡が円筒面の中心に集まる。受容室２４１を経た流れは、曲り流路室２４６に連通する。曲り流路室２４６は、いずれも略鉛直方向に伸びる、受容室２４１から出た塗工液の流れ方向に対して傾斜する傾斜壁２２７と、円弧壁２２８とからなる曲壁で構成される。流れは、円弧壁２２８によって流れ方向をさらに変向させ、還流室２４３に入る。還流室２４３は、流入孔２２５の断面積よりも大きい断面積を有する円形の流出孔２４２を下面に有しており、環流を誘起させるため、流出孔２４２よりも大きく、略鉛直方向に伸びる円筒壁２４０からなる曲壁で構成される。還流室２４３に入った塗工液は、円筒壁２４０によって誘導的に環流１４に変えさせられることで強制渦を生成し、流出孔２４２から渦１５ができる。流出孔２４２につながっている管体２２６内の中心には渦１５が伸び、塗工液は、螺旋を描くように管体２２６の内壁に沿って流下し、さらに下降斜面２４７を有する液案内部材２４８に沿って液体容器８内に穏やかに着液する。
【００２５】
図３において、曲り流路室２４６における流路の流路幅は、下流側に向かうにつれて広く形成されており（曲り流路室２４６において傾斜壁２７７及び円弧壁２２８から離間して設けられる排気筒２４４と傾斜壁２２７との間の流路幅Ｓ１、及び排気筒２４４と円弧壁２２８との間の流路幅Ｓ２）、いわゆる曲がりディフューザの効果が得られ、流れにさらに断面積の拡大変化による損失を与えることができ、減勢効果を増加させる効果がある。
【００２６】
密閉蓋２４５は、塗工液が外に漏れない役目をする。排気筒２４４は、減勢器２４内の曲り流路室２４６内にて、その上端を密閉蓋２４５近くまで伸ばし、減勢器２４の下面を貫通して、液体容器８の上部空間まで通じている。しかし、排気筒２４４は、受容室２４１又は環流室２４３に設けるようにしてもよいし、一つではなく、複数設けるようにしてもよい。分離された空気は、密閉蓋２４５を伝わり、排気筒２４４を通って、液体容器８の上部空間へ排気される。そのために、減勢器２４内の各室は、図４に符号ｂで示す流入孔２２５の中心から上側の空間がより広くなるよう形成されている。気泡の量によって排気筒２４４に塗工液が浸入する場合があるが、液体容器８の中に流れ出るので、漏れ出ることはない。
【００２７】
渦の発生状況は、混入する気泡の量と塗工液の流量、減勢器２４内の各室空間の広さなどによって変わる。流量が少ない場合、受容室２４１にて気泡が集まった渦ができ、空気の渦の上端は排気筒２４４とつながる動きをする。この場合、還流室２４３での還流は勢いのある渦まで成長することなく、塗工液は流出孔２４２から緩やかな螺旋となって流れ落ちる。流量がやや多くなると、受容室２４１及び曲り流路室２４６にできた空気の渦は、環流室の流出孔２４２まで移動していき、流出孔２４２にて安定した渦となる。気泡の量が多くなると、空気の渦は大きくなり、渦上端が排気筒２４４とつながる動きをするので、排気筒２４４は、空気の渦で吸い込まれずに残った気泡の一部を排気する。さらに流量が増し、受容室２４１にて空気の渦を発生できる流量を超えた場合、還流室２４３の環流が勢いを増し、流出孔２４２に塗工液の渦流ができる。流量が多くなった場合でも、塗工液が管体２２６内を螺旋状に流下し、空気の渦が管体２２６の中心部に安定してできるように、流出孔２４２と管体２２６の直径を十分大きく設けることにより、渦下端は、管体２２６の下端まで安定して縦長に成長し、塗工液は、暴れたり、拡散したりすることなく、穏やかに流下する。気泡は流出孔２４２の円筒中心の渦によって液体容器８内の上部空間へ抜けていく。
【００２８】
図５に、密閉蓋２４５に設けられた溝２４９を示す。溝２４９を設けることで、空気の渦１０が流量の多少によって位置を移動しても排気筒２４４につながりやすくする働きをする。
【００２９】
図６に、減勢器２４を装備した塗工液循環装置２を示す。脈動減衰器２５は、エアチャンバであり、供給ポンプ２１から吐出される塗工液に対して脈動を緩衝する。その後、塗工液は、塗工液供給側ホース接続口２３５から塗工液チャンバ３に向けて送給される。一方、排出ポンプ２２は、塗工液排出側ホース接続口２２３を介して塗工液チャンバから気泡を伴った塗工液を吸引する。その後、塗工液は、減勢器２４に入り、状態を整えられて液体容器８に流れ込む。脈動減衰器２５は、塗工液供給側ホース接続口２３５から塗工液チャンバ３までのホースにて、所定の配管抵抗を伴う管路長さが得られるので、所定の減衰効果が得られる。排出側に同様の脈動減衰器２５を装備するよりも代わりに減勢器２４を用いることで、小型でかつ液体容器８直前に設置することができ、塗工液循環装置２の小型化を可能にしている。
【００３０】
図７に、減勢器２４の他の実施例を示す。上記の減勢器２４と同じ３室の構成であるが、曲り流路室２４６の曲壁を略１８０°に拡げた例である。
【００３１】
図８に、減勢器２４のさらに他の実施例を示す。流出孔２４２と管体２２６の中を通る排気筒２６０を有する構成例である。塗工液の粘性の違いによって、排気筒２６０を流出孔２４２に設けたほうが気泡の除去が行いやすくなる場合がある。
【００３２】
なお、本考案に係る減勢器は、今まで説明してきたものに限定されるものではなく、本考案の要旨を逸脱しない範囲で種々の変更が可能である。
【符号の説明】
【００３３】
１  塗工装置
２  塗工液循環装置
３  塗工液チャンバ
４  彫刻ローラ
５  塗工液
６  空気
８  液体容器
９  液体容器用導管
１０  渦
１４  環流
１５  渦
２１  供給ポンプ
２２  排出ポンプ
２４  減勢器（塗工液排出ポンプ用減勢器）
３１  塗工液チャンバ供給側ホース継手
３２  塗工液チャンバ排出側分岐ホース継手
３３  塗工液チャンバ排出側ホース継手
４１  塗工液で満たされたセル
４２  転移後のセル
５１  彫刻ローラから転移された塗工液皮膜
６１  気泡
２２３  塗工液排出側ホース接続口
２２４  塗工液排出管
２２５  流入孔
２２６  管体（短管）
２２７  傾斜壁
２２８  円弧壁
２３５  塗工液供給側ホース接続口
２４０  円筒壁
２４１  受容室
２４２  流出孔
２４３  還流室
２４４  排気筒
２４５  密閉蓋
２４６  曲り流路室
２４７  下降斜面
２４８  液案内部材
２４９  溝
２６０  排気筒
【図１】
0003222091.tif 000003
【図２】
0003222091.tif 000004
【図３】
0003222091.tif 000005
【図４】
0003222091.tif 000006
【図５】
0003222091.tif 000007
【図６】
0003222091.tif 000008
【図７】
0003222091.tif 000009
【図８】
0003222091.tif 000010
【手続補正書】
【提出日】令和1年5月8日(2019.5.8)
【手続補正１】
【補正対象書類名】実用新案登録請求の範囲
【補正対象項目名】全文
【補正方法】変更
【補正の内容】
【実用新案登録請求の範囲】
【請求項１】
塗工装置から塗工液を排出させて液体容器に戻す塗工液排出流路に設置される減勢器であって、
塗工液排出流路を圧送されてくる塗工液の流入孔と、
下流側が開放された略円筒状の曲壁を有し、上流側にて円筒中心から偏心した位置に前記流入孔が形成され、上部及び下部が閉塞される受容室と、
受容室の下流側にて受容室と連通し、流れ方向を変更する曲壁を有し、上部及び下部が閉塞される少なくとも一つ以上の曲り流路室と、
曲り流路室の下流側にて曲り流路室と連通し、略円筒状の曲壁を有し、上部が閉塞される環流室と、
還流室の下部に形成される塗工液の流出孔と、
流出孔から下方に伸びる管体とを備え、
受容室から還流室に至る流路の断面積は、流入孔の断面積よりも大きい
減勢器。
【請求項２】
下降斜面を有し、管体の下方に配置される液案内部材をさらに備える
請求項１に記載の減勢器。
【請求項３】
流入孔の中心から受容室、曲り流路室及び環流室の各上部までの高さは、流入孔の中心から受容室、曲り流路室及び環流室の各下部までの高さよりも大きく、
受容室、曲り流路室又は環流室のいずれかに、上部との間に隙間を有して下部を貫通する排気筒を備える
請求項１又は請求項２に記載の減勢器。
【請求項４】
受容室、曲り流路室及び環流室の上部の接液側は、受容室から環流室まで延びる溝を備える
請求項１ないし請求項３のいずれか１項に記載の減勢器。
【請求項５】
流出孔の断面積は、流入孔の断面積よりも大きい
請求項１ないし請求項４のいずれか１項に記載の減勢器。
【請求項６】
曲り流路室における流路の断面積は、下流側に向かうにつれて大きくなる
請求項１ないし請求項５のいずれか１項に記載の減勢器。
【手続補正２】
【補正対象書類名】明細書
【補正対象項目名】００１０
【補正方法】変更
【補正の内容】
【００１０】
また、本考案に係る減勢器は、他態様として、
流入孔の中心から受容室、曲り流路室及び環流室の各上部までの高さは、流入孔の中心から受容室、曲り流路室及び環流室の各下部までの高さよりも大きく、
受容室、曲り流路室又は環流室のいずれかに、上部との間に隙間を有して下部を貫通する排気筒を備える
構成を採用することができる。
【手続補正３】
【補正対象書類名】明細書
【補正対象項目名】００１１
【補正方法】変更
【補正の内容】
【００１１】
また、本考案に係る減勢器は、別の態様として、
受容室、曲り流路室及び環流室の上部の接液側は、受容室から環流室まで延びる溝を備える
構成を採用することができる。